(57)【要約】【課題】便器に排尿する際に、便器に溜まった水もしくは尿の飛沫が周囲に飛散することを防止すること。【解決手段】本発明の飛沫飛散防止方法に用いる飛沫飛散防止用泡放出器は、泡発生液を貯留するタンクと、前記タンクの開口部にねじ込んだ蓋を貫通して前記タンクの底部近傍で一端が開口するパイプと、前記パイプの他端が外部へ開口する放出ノズルと、前記タンク内の泡発生液の一部を前記パイプにて吸い上げ、泡を形成した状態で、前記放出ノズルから外部へ放出するシリンダー式のポンプと、前記ポンプを作動させるレバーと、を備え、前記ポンプのシリンダーの断面形状を長円形状とした。【選択図】図１
2014169538.tif 000002
【特許請求の範囲】
【請求項１】
水洗式の便器に排尿する際に飛沫の飛散を防止するために用いる飛沫飛散防止用泡放出器であって、
泡発生液を貯留するタンクと、
前記タンクの開口部にねじ込んだ蓋を貫通して前記タンクの底部近傍で一端が開口するパイプと、
前記パイプの他端が外部へ開口する放出ノズルと、
前記タンク内の泡発生液の一部を前記パイプにて吸い上げ、泡を形成した状態で、前記放出ノズルから外部へ放出するシリンダー式のポンプと、
前記ポンプを作動させるレバーと、
を備え、
前記ポンプのシリンダーの断面形状を長円形状としたことを特徴とする飛沫飛散防止用泡放出器。
【請求項２】
前記パイプの一部もしくは前記放出ノズルには、網状の泡形成部材が配設されていることを特徴とする請求項１に記載の飛沫飛散防止用泡放出器。
【請求項３】
前記ポンプは、
前記レバーに力を加えた際には、前記シリンダーのピストンを前進させて前記放出ノズルから放出するとともに逆流防止構造によって前記タンク側への逆流を防止し、
前記レバーに加えた力を抜いたときには付勢手段によって前記ピストンを後退させて前記タンク内の泡発生液の一部を前記パイプにて吸い上げるとともに前記逆流防止機能によって前記ノズルからの外気の吸い込みを防止するように構成されている
ことを特徴とする請求項１、２の何れか１項に記載の飛沫飛散防止用泡放出器。
【請求項４】
水洗式の便器に排尿する前に、予め便器内に泡の層を形成しておき、その泡の層に向かって排尿することによって、水もしくは尿の飛沫の飛散を防止することを特徴とする飛沫飛散防止方法。
【発明の詳細な説明】
【技術分野】
【０００１】
本発明は、便器に排尿する際に、便器に溜まった水もしくは尿の飛沫が周囲に飛散することを防止することに関するものである。
【背景技術】
【０００２】
図７に示したように、便器１０１に向かって排尿１００する際に、例えば、男性が洋式便器に排尿する場合には、便器１０１内に溜まっている水１０２もしくは尿の飛沫１０３が周囲に飛散したり、便器の周囲や服等を汚したりすることがある。
【先行技術文献】
【特許文献】
【０００３】
【特許文献１】特公平７−１０３５９９号公報
【発明の概要】
【発明が解決しようとする課題】
【０００４】
特許文献１等には、泡洗式トイレ装置が提案されているが、これらは、汲み取り式トイレにおいて水で洗浄することに代えて泡で洗浄するとともに臭気を防止することを目的としたものであって、水洗式トイレにおいて、飛沫防止のための泡を利用するものではない。
本発明は、便器に排尿する際に、便器に溜まった水もしくは尿の飛沫が周囲に飛散することを防止することを目的としてなされたものである。
【課題を解決するための手段】
【０００５】
請求項１に係る飛沫飛散防止用泡放出器は、
飛沫の飛散に用いる飛沫飛散防止用泡放出器であって、
泡発生液を貯留するタンクと、
前記タンクの開口部にねじ込んだ蓋を貫通して前記タンクの底部近傍で一端が開口するパイプと、
前記パイプの他端が外部へ開口する放出ノズルと、
前記タンク内の泡発生液の一部を前記パイプにて吸い上げ、泡を形成した状態で、前記放出ノズルから外部へ放出するシリンダー式のポンプと、
前記ポンプを作動させるレバーと、
を備え、
前記ポンプのシリンダーの断面形状を長円形状としたことを特徴としている。
【０００６】
請求項２では、
前記パイプの一部もしくは前記放出ノズルには、網状の泡形成部材が配設されていることを特徴としている。
請求項３では、
前記ポンプは、
前記レバーに力を加えた際には、前記シリンダーのピストンを前進させて前記放出ノズルから放出するとともに逆流防止構造によって前記タンク側への逆流を防止し、
前記レバーに加えた力を抜いたときには付勢手段によって前記ピストンを後退させて前記タンク内の泡発生液の一部を前記パイプにて吸い上げるとともに前記逆流防止機能によって前記ノズルからの外気の吸い込みを防止するように構成されている。
【０００７】
請求項４に係る本発明の飛沫飛散防止方法は、
水洗式の便器に排尿する前に、予め便器内に泡の層を形成しておき、その泡の層に向かって排尿することによって、水もしくは尿の飛沫の飛散を防止することを特徴とするものである。
【発明の効果】
【０００８】
本発明によれば、水洗式の便器に排尿する前に、便器内に泡の層を形成しておくことによって、放尿された尿が便器に溜まった水に当たる際の、水や尿のしぶきや飛沫の発生を、前記泡によって防ぐので、排尿による飛沫の飛散を防止することができ、便器の周囲や服等を汚したりすることを防止することができる。
【図面の簡単な説明】
【０００９】
【図１】本発明に係る飛沫飛散防止方法に用いる飛沫飛散防止用泡放出器の斜視図である。
【図２】前記飛沫飛散防止用泡放出器の要部の断面図である。
【図３】レバーを押しこんだ状態の前記要部の断面図である。
【図４】レバーが後退した状態の前記要部の断面図である。
【図５】ポンプのシリンダの断面形状とタンクの位置関係を示した一部断面正面図である。
【図６】本発明に係る飛沫飛散防止方法を説明する説明図である。
【図７】従来の飛沫飛散状態を説明する説明図である。
【発明を実施するための形態】
【００１０】
以下に、本発明を実施するための形態として、図面に示した実施例１について説明する。図１は、本発明の飛沫飛散防止方法を実施するために用いる飛沫飛散防止用泡放出器の構造を示したものであり、図２は要部の断面図を示したものである。
各図において、
１は飛沫飛散防止用泡放出器であって、
泡発生液を貯留するタンク２と、
前記タンク２の開口部２１にねじ込んだ蓋２２を貫通して前記タンク２の底部近傍で一端が開口するパイプ３と、
前記パイプ３の他端が外部に開口する放出ノズル４と、
前記タンク２内の泡発生液の一部を前記パイプ３にて吸い上げ、泡を形成した状態で、前記放出ノズル４から外部へ放出するシリンダー式のポンプ５と、
前記ポンプ５を作動させるレバー６と、
を備えている。
前記パイプ３の途中で前記放出ノズル４の手前の何れかの場所には、網状の泡形成部材７が配設されている。泡発生液が前記泡形成部材７を通過することによって泡が形成され、前記放出ノズル４から放出される。この泡形成部材７の網目の大きさを変えることによって、細かい泡としたり、大きい泡とすることができる。
【００１１】
前記ポンプ５は、シリンダー５１とピストン５２と逆流防止機構５３とバッファタンク５４を備えている。
前記レバー６もしくは前記ポンプ５には、前記レバー６に力を加えて押しこんだ状態から力を抜いたときに、前記ピストン５２および前記レバー６を初期位置に復帰させるためのバネ等の付勢手段６１が備えられている。
図３に示したように、前記レバー６に力を加えて押しこむと、前記ポンプ内のピストン５２がシリンダー５１内を移動して、シリンダー内の空気を圧縮して、バッファタンク５４の内部の泡もしくは泡発生液を押し出して、前記逆流防止機構５３を通して前記放出ノズル４から外部へ放出する。図中において、白抜きの矢印は気体や液体の移動を示している。
【００１２】
図４に示したように、前記レバー６に加えた力を抜くと、前記ピストン５２は前記付勢手段６１で押し戻されてシリンダー５１内を後退移動して、前記バッファタンク５４内を減圧する。
前記バッファタンク５４内が減圧されると、前記逆流防止機構５３が開いて前記タンク２内の泡発生液を前記パイプ３を介して吸い上げて、前記バッファタンク５４内に導入する。図中において、白抜きの矢印は気体や液体の移動を示している。
このとき、前記パイプ３の一部に前記網状の泡形成部材７を配設し、前記タンク２内の泡発生液を泡状態としながら吸い上げてもよい。
【００１３】
前記レバー６に力を再び加えて押しこむと、前記バッファタンク５４内に導入されていた泡もしくは泡発生液を加圧して前記放出ノズル４から外部へ噴出させる。
なお、前記網状の泡形成部材７は、前記バッファタンク５４から前記放出ノズル４までのパイプの一部に配設してもよい。
図示したように、逆流防止機構は２つの球状の弁と、その周囲に形成された弁座によって構成されている。
【００１４】
なお、図５（Ａ）に示したように、前記ポンプ５の前記シリンダー５１の断面形状を長円形状として、前記長円の短軸を前記タンク２の縦方向と同じ方向に設定することによって、当該飛沫飛散防止用泡放出器の全高を低くしても十分なポンプ容量を確保することができる。したがって、全高が低くて携帯しやすい飛沫飛散防止用泡放出器を実現することができる。
【００１５】
また、一方、図５（Ｂ）に示したように、前記ポンプ５の前記シリンダー５１の断面形状を長円形状として、前記長円の長軸を前記タンク２の縦方向と同じ方向に設定することによって、当該飛沫飛散防止用泡放出器の全幅を狭くしても十分なポンプ容量を確保することができる。したがって、全幅が狭く携帯しやすい飛沫飛散防止用泡放出器を実現することができる。
このように、前記ポンプ５の前記シリンダー５１の断面形状を長円形状とすることによって、全高が低くて携帯しやすい飛沫飛散防止用泡放出器でも、全幅が狭く携帯しやすい飛沫飛散防止用泡放出器でも製造することができる。
【００１６】
図６に示したように、水洗式の便器１１に排尿する前に、便器１１内の水１２の上に泡の層１３を形成しておくことによって、放尿された尿１０が便器１１に溜まった水１２に当たる際の、水や尿のしぶきや飛沫の発生を、前記泡の層１３によって防ぐので、排尿による飛沫の飛散を防止することができ、便器の周囲や服等を汚したりすることを防止することができる。
本発明は、便器内に水が溜まっていない状態でも、泡の層を形成することによって上記効果が得られる。また、男性用の小便器にも用いることができる。
【００１７】
なお、前記飛沫飛散防止用泡放出器１は、カバンやポケットに入れて携帯可能な大きさと形態とすることが望ましい。
また、前記パイプ３はタンク２内でらせん状に形成して、その一端（先端）側の吸い込み口付近に錘を設けることにより、前記タンク２が傾いても、上下逆さまになっても、らせん状のパイプ３が曲がり前記錘が泡発生液の液面下に落ち込むことができるので、泡発生液の吸い込みが確実になる。
さらに、泡発生液は、界面活性剤、粘性増加剤、芳香剤、洗浄剤等の少なくとも何れかを含有することが好ましい。
【符号の説明】
【００１８】
１  飛沫飛散防止用泡放出器
２  タンク
２１  開口部
２２  蓋
３  パイプ
４  放出ノズル
５  ポンプ
５１  シリンダー
５２  ピストン
５３  逆流防止機構
５４  バッファタンク
６  レバー
６１  付勢手段
７  網状の泡形成部材
【図１】
2014169538.tif 000003
【図２】
2014169538.tif 000004
【図３】
2014169538.tif 000005
【図４】
2014169538.tif 000006
【図５】
2014169538.tif 000007
【図６】
2014169538.tif 000008
【図７】
2014169538.tif 000009